(57)【要約】【課題】簡単な構成で運転停止中も室内温度を正確に検出できる空気調和機を提供する。【解決手段】室内熱交換器５が収納された底フレーム２１と、底フレーム２１の前面側に取り付けられた前面グリル２２と、前面グリル２２の前面側に取り付けられた前面パネル２３と、室内熱交換器５とその室内熱交換器５に接続された連絡配管Ｌ１,Ｌ２との間に取り付けられた温度センサ９と、温度センサ９と室内熱交換器５との間かつ温度センサ９と連絡配管Ｌ１,Ｌ２との間を遮る基板５１とを備える。上記温度センサ９を、前面グリル２２と前面パネル２３との間の空気通路に配置する。【選択図】図５
2008144999.tif 000002
【特許請求の範囲】
【請求項１】
熱交換器(５)が収納された本体ケーシング(２１)と、
上記本体ケーシング(２１)の前面側に取り付けられた前面グリル(２２)と、
上記前面グリル(２２)の前面側に取り付けられた前面パネル(２３)と、
上記熱交換器(５)と上記熱交換器(５)に接続された連絡配管(Ｌ１,Ｌ２)との間に取り付けられた温度センサ(９)と、
上記温度センサ(９)と上記熱交換器(５)との間かつ上記温度センサ(９)と上記連絡配管(Ｌ１,Ｌ２)との間を遮るカバー(５１)と
を備え、
上記温度センサ(９)は、上記前面グリル(２２)と上記前面パネル(２３)との間の空気通路に配置されていることを特徴とする空気調和機。
【請求項２】
請求項１に記載の空気調和機において、
上記カバー(５１)は、上記前面グリル(２２)の一部となっていることを特徴とする空気調和機。
【請求項３】
請求項１または２に記載の空気調和機において、
上記温度センサ(９)は、上記熱交換器(５)の前面側平面よりも前方の平面上にあることを特徴とする空気調和機。
【発明の詳細な説明】
【技術分野】
【０００１】
この発明は、空気調和機に関する。
【背景技術】
【０００２】
従来、空気調和機としては、熱交換器の前面側に取り付け具を用いて温度センサを取り付けたものがある(例えば、特開平９−１７８３０５号公報(特許文献１)参照)。
【０００３】
この空気調和機では、運転中は風通路に温度センサが配置されるため、室内から吸い込まれた空気の温度を正しく検出することができる。しかしながら、複数の室内機を備えたマルチ型空気調和機では、１つ以上の室内機が運転中において運転停止している室内機に冷媒溜りを防ぐために冷媒を流しているので、温度センサが熱交換器の温度の影響を受けて、正しく室内温度が検出できないという問題がある。
【０００４】
また、本体ケーシング内の熱交換器から離れた位置に温度センサを設けた空気調和機も考えられるが、限られた空間内では熱交換器に接続された連絡配管の温度の影響を温度センサが同様に受けて、正しく室内温度が検出できないという問題がある。
【特許文献１】特開平９−１７８３０５号公報
【発明の開示】
【発明が解決しようとする課題】
【０００５】
そこで、この発明の課題は、簡単な構成で運転停止中であっても室内温度を正確に検出できる空気調和機を提供することにある。
【課題を解決するための手段】
【０００６】
上記課題を解決するため、この発明の空気調和機は、
熱交換器が収納された本体ケーシングと、
上記本体ケーシングの前面側に取り付けられた前面グリルと、
上記前面グリルの前面側に取り付けられた前面パネルと、
上記熱交換器と上記熱交換器に接続された連絡配管との間に取り付けられた温度センサと、
上記温度センサと上記熱交換器との間かつ上記温度センサと上記連絡配管との間を遮るカバーと
を備え、
上記温度センサは、上記前面グリルと上記前面パネルとの間の空気通路に配置されていることを特徴とする。
【０００７】
上記構成の空気調和機によれば、上記温度センサの位置を熱交換器と連絡配管との間とし、さらにカバーによって温度センサと熱交換器との間かつ温度センサと連絡配管との間を遮ることによって、運転の有無にかかわらず熱交換器と連絡配管からの輻射熱の影響を軽減できる。また、運転中は、温度センサが配置された前面グリルと前面パネルとの間の空気通路に空気が流れるので、温度センサにより正確に温度検出が行われる。したがって、簡単な構成で運転停止中であっても室内温度を正確に検出できる。
【０００８】
また、一実施形態の空気調和機では、上記カバーは、上記前面グリルの一部となっている。
【０００９】
上記実施形態によれば、上記熱交換器と連絡配管からの輻射熱の遮蔽するカバーが、前面グリルの一部となっているので、カバーの周囲の前面グリルも遮蔽に利用でき、遮蔽の効果を高めることができる。
【００１０】
また、一実施形態の空気調和機では、上記温度センサは、上記熱交換器の前面側平面よりも前方の平面上にある。
【００１１】
上記実施形態によれば、上記温度センサを熱交換器の前面側平面よりも前方の平面上にすることによって、熱交換器や連絡配管から離れた位置に温度センサを配置でき、熱交換器と連絡配管からの輻射熱の影響をさらに軽減できる。
【発明の効果】
【００１２】
以上より明らかなように、この発明の空気調和機によれば、簡単な構成で運転停止中も室内温度を正確に検出できる空気調和機を実現することができる。
【００１３】
また、一実施形態の空気調和機によれば、熱交換器と連絡配管からの輻射熱の遮蔽するカバーが、前面グリルの一部となっていることによって、カバーの周囲の前面グリルも遮蔽に利用でき、遮蔽の効果を高めることができる。
【００１４】
また、一実施形態の空気調和機によれば、温度センサを熱交換器の前面側平面よりも前方の平面上にすることによって、熱交換器や連絡配管から離れた位置に温度センサを配置でき、熱交換器と連絡配管からの輻射熱の影響をさらに軽減することができる。
【発明を実施するための最良の形態】
【００１５】
以下、この発明の空気調和機を図示の実施の形態により詳細に説明する。
【００１６】
図１はこの発明の実施の一形態の空気調和機の冷媒回路の回路図を示している。この空気調和機は、図１に示すように、圧縮機１と、上記圧縮機１の吐出側が一端に接続された四路弁２と、上記四路弁２の他端に一端が接続された室外熱交換器３と、上記室外熱交換器３の他端に一端が接続された電動膨張弁４と、上記電動膨張弁４の他端に閉鎖弁１２,連絡配管Ｌ１を介して一端が接続された室内熱交換器５と、上記室内熱交換器５の他端に閉鎖弁１３,連絡配管Ｌ２,四路弁２を介して一端が接続され、他端が圧縮機１の吸入側に接続されたアキュムレータ６とを備えている。上記圧縮機１,四路弁２,室外熱交換器３,電動膨張弁４,室内熱交換器５およびアキュムレータ６で冷媒回路を構成している。
【００１７】
また、この空気調和機は、室外熱交換器３近傍に配置された室外ファン７と、室内熱交換器５近傍に配置された室内ファン８と、室内温度を検出する温度センサ９と、上記温度センサ９により検出された室内温度に基づいて、圧縮機１,電動膨張弁４,室外ファン７,室内ファン８,温度センサ９等を制御する制御装置１１を備えている。
【００１８】
上記制御装置１１は、マイクロコンピュータと入出力回路などからなり、圧縮機１,四路弁２,電動膨張弁４,室外ファン７等を制御する。
【００１９】
上記圧縮機１,四路弁２,室外熱交換器３,電動膨張弁４,アキュムレータ６,室外ファン７および制御装置１１で室外機１０を構成し、室内熱交換器５,室内ファン８および温度センサ９で室内機２０を構成している。
【００２０】
上記構成の空気調和機において、暖房運転時、四路切換弁２を実線の切換え位置に切り換えて、圧縮機１を起動すると、圧縮機１から吐出された高圧冷媒が四路切換弁２を通って室内熱交換器５に入る。そして、上記室内熱交換器５で凝縮した冷媒は、電動膨張弁４で減圧された後に室外熱交換器３に入る。上記室外熱交換器３で蒸発した冷媒が四路切換弁２およびアキュムレータ６を介して圧縮機１の吸入側に戻る。こうして、上記圧縮機１,室内熱交換器５,電動膨張弁４,室外熱交換器３およびアキュムレータ６で構成された冷媒回路を冷媒が循環して、冷凍サイクルを実行する。そして、室内ファン８により室内熱交換器５を介して室内空気を循環させることにより室内を暖房する。
【００２１】
これに対して、冷房運転時は、四路切換弁２を点線の切換え位置に切り換えて、圧縮機１,室外熱交換器３,電動膨張弁４,室内熱交換器５およびアキュムレータ６の順に冷媒が循環する冷凍サイクルを実行する。
【００２２】
図２は上記空気調和機の床置き型の室内機２０の斜視図を示している。この室内機２０は、図２に示すように、室内の壁面に後面側が取り付けられる本体ケーシングの一例としての略長方形状の底フレーム２１と、上記底フレーム２１の前面側に取り付けられ、前面に略長方形状の開口部２２cを有する前面グリル２２と、前面グリル２２の開口部２２cを覆うように取り付けられた前面パネル２３とを備えている。
【００２３】
上記前面グリル２２の上部に上側吹出口２２aを設けると共に、前面グリル２２の下部に下側吹出口２２bを設けている。上記前面グリル２２の上側吹出口２２aにフラップ２４を設けている。このフラップ２４は、冷房運転および暖房運転時に回動して、上側吹出口２２aから冷風,温風を前方かつ斜め上方に吹き出すようにし、停止時は、図２に示すように、上側吹出口２２aを覆う。
【００２４】
また、上記前面パネル２３の上側に上側吸込口２３aを設け、前面パネル２３の下側に下側吸込口２３bを設け、さらに前面パネル２３の左右の側面に側方吸込口２３c(図２では右側のみを示す)を設けている。
【００２５】
また、図３は上記空気調和機の床置き型の室内機２０の前面パネル２３を外した状態の斜視図を示しており、図４に示す同一の構成部に同一の参照番号を付している。
【００２６】
図３に示すように、前面グリル２２と前面パネル２３との間の空気通路に、前面グリル２２の右側から前方に突出するセンサ部３１を設けている。このセンサ部３１内に温度センサ９を配置しており、正面視において室内ファン８に面していない位置にある。なお、このセンサ部３１内に温度センサ９と共に湿度センサを配置してもよい。
【００２７】
上記センサ部３１は、略立方体形状をしており、前面グリル２２側の底部を除く５面に複数のスリットを設けている。また、センサ部３１内の前面グリル２２側の底部に、温度センサ９を取り付けた板状の基板５１(図５に示す)を固定して、その基板により温度センサ９の背面側を遮蔽している。これにより、室内熱交換器５および連絡配管Ｌ１,Ｌ２(図５に示す)からの輻射熱を遮っている。したがって、運転停止中に温度センサ９により室内温度を正確に検出することができる。
【００２８】
ここで、運転が開始されると、前面パネル２３の右側面に側方吸込口２３cから吸い込まれた室内空気は、前面グリル２２と前面パネル２３との間の空気通路を通って前面グリル２２の開口部２２cに吸い込まれる。これにより、運転中も温度センサ９により正確に室内温度を検出することができる。
【００２９】
また、図４は上記空気調和機の室内機２０の断面図を示している。なお、図４において、３１はセンサ部である。
【００３０】
図４に示すように、底フレーム２１の略中央にモータ２６を固定している。このモータ２６の軸が接続された室内ファン８を、軸が前後方向になるように底フレーム２１に配置している。上記室内ファン８は、前面側から吸い込んだ空気を軸に対して半径方向外向に吹き出すターボファンである。また、上記底フレーム２１に室内ファン８の前面側にベルマウス２７を設けている。そして、上記ベルマウス４の前面側に室内熱交換器５を配置し、その室内熱交換器５の前面側に前面グリル２２を取り付け、その前面グリル２２の前面側に前面パネル２３を取り付けている。上記前面グリル２２の開口部２２aにフィルタ２５を取り付けている。また、上記ベルマウス２７の下部かつ室内熱交換器５の下側には、ドレンパン２８を配置している。
【００３１】
また、前面グリル２２の上側吹き出し通路Ｐ１の上側吹出口２２aに、吹き出し方向を上下方向に制御するフラップ２４を配置している。一方、前面グリル２２の下側吹き出し通路Ｐ２内に、下側吹出口２２bを開閉するシャッター３０を配置している。このシャッター３０は、底フレーム２１側かつ下側吹き出し通路Ｐ２の下側に設けられた軸３０aを中心に回動し、一点鎖線で示すＡが開状態であり、実線で示すＢが閉状態である。
【００３２】
上記室内ファン８によって前面グリル２２の開口部２２c側から吸い込んだ空気を軸に対して半径方向外向に吹き出すことにより、上側吹き出し通路Ｐ１を介して上側吹出口２２aから斜め上前方に空気を吹き出す一方、下側吹き出し通路Ｐ２を介して下側吹出口２２bから前方に空気を吹き出す。
【００３３】
また、図５は上記室内機２０の温度センサ９の位置を説明するための模式図であり、図５(a)は正面模式図を示し、図５(b)は上面模式図を示している。
【００３４】
図５(a),図５(b)に示すように、底フレーム２１内の室内熱交換器５の右側方かつ上方に電装品箱５０を配置している。また、前面グリル２２の上部に上側吹出口２２aを配置する一方、前面グリル２２の下部に部側吹出口２２bを配置している。さらに、上記底フレーム２１内の室内熱交換器５の右側方かつ電装品箱５０の下方に、一端が室内熱交換器５と接続された連絡配管Ｌ１,Ｌ２を配置している。そして、上記電装品箱５０の下部前方に、カバーの一例としての基板５１に実装された温度センサ９を配置している。上記基板５１に実装された温度センサ９を、前面グリル２２に設けたセンサ部３１内に配置し、基板５１がセンサ部３１の背面側を覆っている。この基板５１の外周部と前面グリル２２のセンサ部３１の開口の外周部との間をシール部材(図示せず)によりシールすることにより、室内熱交換器５や連絡配管Ｌ１,Ｌ２から温度センサ９への熱の影響をさらに抑えることができる。
【００３５】
従来であれば、例えば、底フレーム２１の右側面下側にスリットを設けて、側方から室内熱交換器５への風通路を設けて、そのスリットの近傍に温度センサ１０９を配置していたが、停止部屋の室内機に冷媒が溜まらないように冷媒を少しだけ流すマルチタイプの空気調和機では、連絡配管Ｌ１,Ｌ２からの輻射熱の影響を受けて、正確に温度が検出できない。
【００３６】
これに対して、この実施の形態の空気調和機では、温度センサ９の位置を室内熱交換器５と連絡配管Ｌ１,Ｌ２との間とし、さらにカバーである基板５１によって温度センサ９と室内熱交換器５との間かつ温度センサ９と連絡配管Ｌ１,Ｌ２との間を遮ることによって、運転の有無にかかわらず室内熱交換器５と連絡配管Ｌ１,Ｌ２からの輻射熱の影響を軽減することができる。また、運転中は、温度センサ９が配置された前面グリル２２と前面パネル２３との間の空気通路に室内からの空気が流れるので、温度センサ９により正確に温度検出が行われる。したがって、簡単な構成で運転停止中であっても室内温度を正確に検出することができる。
【００３７】
また、上記室内熱交換器５と連絡配管Ｌ１,Ｌ２からの輻射熱の遮蔽するカバーとしての基板５１が、前面グリル２２の一部となっていることによって、基板５１の周囲の前面グリル２２も遮蔽に利用でき、遮蔽の効果を高めることができる。
【００３８】
また、上記温度センサ９を室内熱交換器５の前面側平面よりも前方の平面上にすることによって、室内熱交換器５や連絡配管Ｌ１,Ｌ２から離れた位置に温度センサ９を配置でき、室内熱交換器５と連絡配管Ｌ１,Ｌ２からの輻射熱の影響をさらに軽減することができる。
【００３９】
上記実施の形態では、空気調和機の床置き型の室内機について説明したが、空気調和機はこれに限らない。
【００４０】
また、上記実施の形態では、室外機と室内機を備えたセパレートタイプの空気調和機について説明したが、他の構成の空気調和機にこの発明を適用してもよい。
【図面の簡単な説明】
【００４１】
【図１】図１はこの発明の実施の一形態の空気調和機の冷媒回路の回路図である。
【図２】図２は上記空気調和機の床置き型の室内機の斜視図である。
【図３】図３は上記空気調和機の床置き型の室内機の前面パネルを外した状態の斜視図である。
【図４】図４は上記室内機の断面図である。
【図５】図５は上記室内機の温度センサの位置を説明するための模式図である。
【符号の説明】
【００４２】
１…圧縮機
２…四路弁
３…室外熱交換器
４…電動膨張弁
５…室内熱交換器
６…アキュムレータ
７…室外ファン
８…室内ファン
９…フラップ駆動部
１０…室外機
１１…制御装置
１１a…フラップ制御部
１１b…シャッター制御部
１２,１３…閉鎖弁
２０…室内機
２１…底フレーム
２２…前面グリル
２２a…上側吹出口
２２b…下側吹出口
２２c…開口部
２３…前面パネル
２３a…上側吸込口
２３b…下側吸込口
２３c…側方吸込口
２４…フラップ
２５…フィルタ
２６…モータ
２７…ベルマウス
３０…シャッター
３１…センサ部
Ｌ１,Ｌ２…連絡配管
５０…電装品箱
５１…基板
【図１】
2008144999.tif 000003
【図２】
2008144999.tif 000004
【図３】
2008144999.tif 000005
【図４】
2008144999.tif 000006
【図５】
2008144999.tif 000007
【手続補正書】
【提出日】平成20年4月1日(2008.4.1)
【手続補正１】
【補正対象書類名】特許請求の範囲
【補正対象項目名】全文
【補正方法】変更
【補正の内容】
【特許請求の範囲】
【請求項１】
熱交換器(５)が収納された本体ケーシング(２１)と、
上記本体ケーシング(２１)の前面側に取り付けられ、前方に開口する開口部(２２c)を有する前面グリル(２２)と、
上記本体ケーシング(２１)内に配置され、上記前面グリル(２２)の上記開口部(２２c)を介して前面側から吸い込んだ空気を軸に対して半径方向外向に吹き出すターボファン(８)と、
上記前面グリル(２２)の前面側に取り付けられた前面パネル(２３)と、
上記熱交換器(５)と上記熱交換器(５)に接続された連絡配管(Ｌ１,Ｌ２)との間に取り付けられた温度センサ(９)と、
上記温度センサ(９)と上記熱交換器(５)との間かつ上記温度センサ(９)と上記連絡配管(Ｌ１,Ｌ２)との間を遮るカバー(５１)と
を備え、
上記前面グリル(２２)と上記前面パネル(２３)との間に、上記ターボファン(８)により吸い込まれる空気が上記本体ケーシング(２１)の側方から上記前面グリル(２２)の上記開口部(２２c)に向かって流入する空気通路が形成され、
上記温度センサ(９)は上記空気通路に配置されていることを特徴とする空気調和機。
【請求項２】
請求項１に記載の空気調和機において、
上記カバー(５１)は、上記前面グリル(２２)の一部となっていることを特徴とする空気調和機。
【請求項３】
請求項１または２に記載の空気調和機において、
上記温度センサ(９)は、上記熱交換器(５)の前面側平面よりも前方の平面上にあることを特徴とする空気調和機。
【手続補正２】
【補正対象書類名】明細書
【補正対象項目名】全文
【補正方法】変更
【補正の内容】
【発明の詳細な説明】
【技術分野】
【０００１】
この発明は、空気調和機に関する。
【背景技術】
【０００２】
従来、空気調和機としては、熱交換器の前面側に取り付け具を用いて温度センサを取り付けたものがある(例えば、特開平９−１７８３０５号公報(特許文献１)参照)。
【０００３】
この空気調和機では、運転中は風通路に温度センサが配置されるため、室内から吸い込まれた空気の温度を正しく検出することができる。しかしながら、複数の室内機を備えたマルチ型空気調和機では、１つ以上の室内機が運転中において運転停止している室内機に冷媒溜りを防ぐために冷媒を流しているので、温度センサが熱交換器の温度の影響を受けて、正しく室内温度が検出できないという問題がある。
【０００４】
また、本体ケーシング内の熱交換器から離れた位置に温度センサを設けた空気調和機も考えられるが、限られた空間内では熱交換器に接続された連絡配管の温度の影響を温度センサが同様に受けて、正しく室内温度が検出できないという問題がある。
【特許文献１】特開平９−１７８３０５号公報
【発明の開示】
【発明が解決しようとする課題】
【０００５】
そこで、この発明の課題は、簡単な構成で運転停止中であっても室内温度を正確に検出できる空気調和機を提供することにある。
【課題を解決するための手段】
【０００６】
上記課題を解決するため、この発明の空気調和機は、
熱交換器が収納された本体ケーシングと、
上記本体ケーシングの前面側に取り付けられ、前方に開口する開口部を有する前面グリルと、
上記本体ケーシング内に配置され、上記前面グリルの上記開口部を介して前面側から吸い込んだ空気を軸に対して半径方向外向に吹き出すターボファンと、
上記前面グリルの前面側に取り付けられた前面パネルと、
上記熱交換器と上記熱交換器に接続された連絡配管との間に取り付けられた温度センサと、
上記温度センサと上記熱交換器との間かつ上記温度センサと上記連絡配管との間を遮るカバーと
を備え、
上記前面グリルと上記前面パネルとの間に、上記ターボファンにより吸い込まれる空気が上記本体ケーシングの側方から上記前面グリルの上記開口部に向かって流入する空気通路が形成され、
上記温度センサは上記空気通路に配置されていることを特徴とする。
【０００７】
上記構成の空気調和機によれば、上記温度センサの位置を熱交換器と連絡配管との間とし、さらにカバーによって温度センサと熱交換器との間かつ温度センサと連絡配管との間を遮ることによって、運転の有無にかかわらず熱交換器と連絡配管からの輻射熱の影響を軽減できる。また、運転中は、温度センサが配置された前面グリルと前面パネルとの間に形成された空気通路に、ターボファンにより吸い込まれる空気が本体ケーシングの側方から前面グリルの開口部に向かって流入するので、温度センサにより正確に温度検出が行われる。したがって、簡単な構成で運転停止中であっても室内温度を正確に検出できる。
【０００８】
また、一実施形態の空気調和機では、上記カバーは、上記前面グリルの一部となっている。
【０００９】
上記実施形態によれば、上記熱交換器と連絡配管からの輻射熱の遮蔽するカバーが、前面グリルの一部となっているので、カバーの周囲の前面グリルも遮蔽に利用でき、遮蔽の効果を高めることができる。
【００１０】
また、一実施形態の空気調和機では、上記温度センサは、上記熱交換器の前面側平面よりも前方の平面上にある。
【００１１】
上記実施形態によれば、上記温度センサを熱交換器の前面側平面よりも前方の平面上にすることによって、熱交換器や連絡配管から離れた位置に温度センサを配置でき、熱交換器と連絡配管からの輻射熱の影響をさらに軽減できる。
【発明の効果】
【００１２】
以上より明らかなように、この発明の空気調和機によれば、簡単な構成で運転停止中も室内温度を正確に検出できる空気調和機を実現することができる。
【００１３】
また、一実施形態の空気調和機によれば、熱交換器と連絡配管からの輻射熱の遮蔽するカバーが、前面グリルの一部となっていることによって、カバーの周囲の前面グリルも遮蔽に利用でき、遮蔽の効果を高めることができる。
【００１４】
また、一実施形態の空気調和機によれば、温度センサを熱交換器の前面側平面よりも前方の平面上にすることによって、熱交換器や連絡配管から離れた位置に温度センサを配置でき、熱交換器と連絡配管からの輻射熱の影響をさらに軽減することができる。
【発明を実施するための最良の形態】
【００１５】
以下、この発明の空気調和機を図示の実施の形態により詳細に説明する。
【００１６】
図１はこの発明の実施の一形態の空気調和機の冷媒回路の回路図を示している。この空気調和機は、図１に示すように、圧縮機１と、上記圧縮機１の吐出側が一端に接続された四路弁２と、上記四路弁２の他端に一端が接続された室外熱交換器３と、上記室外熱交換器３の他端に一端が接続された電動膨張弁４と、上記電動膨張弁４の他端に閉鎖弁１２,連絡配管Ｌ１を介して一端が接続された室内熱交換器５と、上記室内熱交換器５の他端に閉鎖弁１３,連絡配管Ｌ２,四路弁２を介して一端が接続され、他端が圧縮機１の吸入側に接続されたアキュムレータ６とを備えている。上記圧縮機１,四路弁２,室外熱交換器３,電動膨張弁４,室内熱交換器５およびアキュムレータ６で冷媒回路を構成している。
【００１７】
また、この空気調和機は、室外熱交換器３近傍に配置された室外ファン７と、室内熱交換器５近傍に配置された室内ファン８と、室内温度を検出する温度センサ９と、上記温度センサ９により検出された室内温度に基づいて、圧縮機１,電動膨張弁４,室外ファン７,室内ファン８,温度センサ９等を制御する制御装置１１を備えている。
【００１８】
上記制御装置１１は、マイクロコンピュータと入出力回路などからなり、圧縮機１,四路弁２,電動膨張弁４,室外ファン７等を制御する。
【００１９】
上記圧縮機１,四路弁２,室外熱交換器３,電動膨張弁４,アキュムレータ６,室外ファン７および制御装置１１で室外機１０を構成し、室内熱交換器５,室内ファン８および温度センサ９で室内機２０を構成している。
【００２０】
上記構成の空気調和機において、暖房運転時、四路切換弁２を実線の切換え位置に切り換えて、圧縮機１を起動すると、圧縮機１から吐出された高圧冷媒が四路切換弁２を通って室内熱交換器５に入る。そして、上記室内熱交換器５で凝縮した冷媒は、電動膨張弁４で減圧された後に室外熱交換器３に入る。上記室外熱交換器３で蒸発した冷媒が四路切換弁２およびアキュムレータ６を介して圧縮機１の吸入側に戻る。こうして、上記圧縮機１,室内熱交換器５,電動膨張弁４,室外熱交換器３およびアキュムレータ６で構成された冷媒回路を冷媒が循環して、冷凍サイクルを実行する。そして、室内ファン８により室内熱交換器５を介して室内空気を循環させることにより室内を暖房する。
【００２１】
これに対して、冷房運転時は、四路切換弁２を点線の切換え位置に切り換えて、圧縮機１,室外熱交換器３,電動膨張弁４,室内熱交換器５およびアキュムレータ６の順に冷媒が循環する冷凍サイクルを実行する。
【００２２】
図２は上記空気調和機の床置き型の室内機２０の斜視図を示している。この室内機２０は、図２に示すように、室内の壁面に後面側が取り付けられる本体ケーシングの一例としての略長方形状の底フレーム２１と、上記底フレーム２１の前面側に取り付けられ、前面に略長方形状の開口部２２cを有する前面グリル２２と、前面グリル２２の開口部２２cを覆うように取り付けられた前面パネル２３とを備えている。
【００２３】
上記前面グリル２２の上部に上側吹出口２２aを設けると共に、前面グリル２２の下部に下側吹出口２２bを設けている。上記前面グリル２２の上側吹出口２２aにフラップ２４を設けている。このフラップ２４は、冷房運転および暖房運転時に回動して、上側吹出口２２aから冷風,温風を前方かつ斜め上方に吹き出すようにし、停止時は、図２に示すように、上側吹出口２２aを覆う。
【００２４】
また、上記前面パネル２３の上側に上側吸込口２３aを設け、前面パネル２３の下側に下側吸込口２３bを設け、さらに前面パネル２３の左右の側面に側方吸込口２３c(図２では右側のみを示す)を設けている。
【００２５】
また、図３は上記空気調和機の床置き型の室内機２０の前面パネル２３を外した状態の斜視図を示しており、図４に示す同一の構成部に同一の参照番号を付している。
【００２６】
図３に示すように、前面グリル２２と前面パネル２３との間の空気通路に、前面グリル２２の右側から前方に突出するセンサ部３１を設けている。このセンサ部３１内に温度センサ９を配置しており、正面視において室内ファン８に面していない位置にある。なお、このセンサ部３１内に温度センサ９と共に湿度センサを配置してもよい。
【００２７】
上記センサ部３１は、略立方体形状をしており、前面グリル２２側の底部を除く５面に複数のスリットを設けている。また、センサ部３１内の前面グリル２２側の底部に、温度センサ９を取り付けた板状の基板５１(図５に示す)を固定して、その基板により温度センサ９の背面側を遮蔽している。これにより、室内熱交換器５および連絡配管Ｌ１,Ｌ２(図５に示す)からの輻射熱を遮っている。したがって、運転停止中に温度センサ９により室内温度を正確に検出することができる。
【００２８】
ここで、運転が開始されると、前面パネル２３の右側面に側方吸込口２３cから吸い込まれた室内空気は、前面グリル２２と前面パネル２３との間の空気通路を通って前面グリル２２の開口部２２cに吸い込まれる。これにより、運転中も温度センサ９により正確に室内温度を検出することができる。
【００２９】
また、図４は上記空気調和機の室内機２０の断面図を示している。なお、図４において、３１はセンサ部である。
【００３０】
図４に示すように、底フレーム２１の略中央にモータ２６を固定している。このモータ２６の軸が接続された室内ファン８を、軸が前後方向になるように底フレーム２１に配置している。上記室内ファン８は、前面側から吸い込んだ空気を軸に対して半径方向外向に吹き出すターボファンである。また、上記底フレーム２１に室内ファン８の前面側にベルマウス２７を設けている。そして、上記ベルマウス４の前面側に室内熱交換器５を配置し、その室内熱交換器５の前面側に前面グリル２２を取り付け、その前面グリル２２の前面側に前面パネル２３を取り付けている。上記前面グリル２２の開口部２２aにフィルタ２５を取り付けている。また、上記ベルマウス２７の下部かつ室内熱交換器５の下側には、ドレンパン２８を配置している。
【００３１】
また、前面グリル２２の上側吹き出し通路Ｐ１の上側吹出口２２aに、吹き出し方向を上下方向に制御するフラップ２４を配置している。一方、前面グリル２２の下側吹き出し通路Ｐ２内に、下側吹出口２２bを開閉するシャッター３０を配置している。このシャッター３０は、底フレーム２１側かつ下側吹き出し通路Ｐ２の下側に設けられた軸３０aを中心に回動し、一点鎖線で示すＡが開状態であり、実線で示すＢが閉状態である。
【００３２】
上記室内ファン８によって前面グリル２２の開口部２２c側から吸い込んだ空気を軸に対して半径方向外向に吹き出すことにより、上側吹き出し通路Ｐ１を介して上側吹出口２２aから斜め上前方に空気を吹き出す一方、下側吹き出し通路Ｐ２を介して下側吹出口２２bから前方に空気を吹き出す。
【００３３】
また、図５は上記室内機２０の温度センサ９の位置を説明するための模式図であり、図５(a)は正面模式図を示し、図５(b)は上面模式図を示している。
【００３４】
図５(a),図５(b)に示すように、底フレーム２１内の室内熱交換器５の右側方かつ上方に電装品箱５０を配置している。また、前面グリル２２の上部に上側吹出口２２aを配置する一方、前面グリル２２の下部に部側吹出口２２bを配置している。さらに、上記底フレーム２１内の室内熱交換器５の右側方かつ電装品箱５０の下方に、一端が室内熱交換器５と接続された連絡配管Ｌ１,Ｌ２を配置している。そして、上記電装品箱５０の下部前方に、カバーの一例としての基板５１に実装された温度センサ９を配置している。上記基板５１に実装された温度センサ９を、前面グリル２２に設けたセンサ部３１内に配置し、基板５１がセンサ部３１の背面側を覆っている。この基板５１の外周部と前面グリル２２のセンサ部３１の開口の外周部との間をシール部材(図示せず)によりシールすることにより、室内熱交換器５や連絡配管Ｌ１,Ｌ２から温度センサ９への熱の影響をさらに抑えることができる。
【００３５】
従来であれば、例えば、底フレーム２１の右側面下側にスリットを設けて、側方から室内熱交換器５への風通路を設けて、そのスリットの近傍に温度センサ１０９を配置していたが、停止部屋の室内機に冷媒が溜まらないように冷媒を少しだけ流すマルチタイプの空気調和機では、連絡配管Ｌ１,Ｌ２からの輻射熱の影響を受けて、正確に温度が検出できない。
【００３６】
これに対して、この実施の形態の空気調和機では、温度センサ９の位置を室内熱交換器５と連絡配管Ｌ１,Ｌ２との間とし、さらにカバーである基板５１によって温度センサ９と室内熱交換器５との間かつ温度センサ９と連絡配管Ｌ１,Ｌ２との間を遮ることによって、運転の有無にかかわらず室内熱交換器５と連絡配管Ｌ１,Ｌ２からの輻射熱の影響を軽減することができる。また、運転中は、温度センサ９が配置された前面グリル２２と前面パネル２３との間の空気通路に室内からの空気が流れるので、温度センサ９により正確に温度検出が行われる。したがって、簡単な構成で運転停止中であっても室内温度を正確に検出することができる。
【００３７】
また、上記室内熱交換器５と連絡配管Ｌ１,Ｌ２からの輻射熱の遮蔽するカバーとしての基板５１が、前面グリル２２の一部となっていることによって、基板５１の周囲の前面グリル２２も遮蔽に利用でき、遮蔽の効果を高めることができる。
【００３８】
また、上記温度センサ９を室内熱交換器５の前面側平面よりも前方の平面上にすることによって、室内熱交換器５や連絡配管Ｌ１,Ｌ２から離れた位置に温度センサ９を配置でき、室内熱交換器５と連絡配管Ｌ１,Ｌ２からの輻射熱の影響をさらに軽減することができる。
【００３９】
上記実施の形態では、空気調和機の床置き型の室内機について説明したが、空気調和機はこれに限らない。
【００４０】
また、上記実施の形態では、室外機と室内機を備えたセパレートタイプの空気調和機について説明したが、他の構成の空気調和機にこの発明を適用してもよい。
【図面の簡単な説明】
【００４１】
【図１】図１はこの発明の実施の一形態の空気調和機の冷媒回路の回路図である。
【図２】図２は上記空気調和機の床置き型の室内機の斜視図である。
【図３】図３は上記空気調和機の床置き型の室内機の前面パネルを外した状態の斜視図である。
【図４】図４は上記室内機の断面図である。
【図５】図５は上記室内機の温度センサの位置を説明するための模式図である。
【符号の説明】
【００４２】
１…圧縮機
２…四路弁
３…室外熱交換器
４…電動膨張弁
５…室内熱交換器
６…アキュムレータ
７…室外ファン
８…室内ファン
９…フラップ駆動部
１０…室外機
１１…制御装置
１１a…フラップ制御部
１１b…シャッター制御部
１２,１３…閉鎖弁
２０…室内機
２１…底フレーム
２２…前面グリル
２２a…上側吹出口
２２b…下側吹出口
２２c…開口部
２３…前面パネル
２３a…上側吸込口
２３b…下側吸込口
２３c…側方吸込口
２４…フラップ
２５…フィルタ
２６…モータ
２７…ベルマウス
３０…シャッター
３１…センサ部
Ｌ１,Ｌ２…連絡配管
５０…電装品箱
５１…基板